(57)【要約】【課題】先端カバー２０を先端硬質部１０から容易に剥離できる信頼性の高い内視鏡１Ａを提供する。【解決手段】内視鏡１Ａは、挿入部９の先端部９Ａに、先端硬質部１０と先端カバー２０とを有しており、先端カバー２０は第１の接着層３０によって先端硬質部１０に接着されており、第１の接着層３０は、第１のフィラー３１である炭酸カルシウム粒子を１質量％以上１０質量％以下含み、第２のフィラー３２である酸化シリコン粒子およびアルミナ粒子の少なくともいずれかを１０質量％以上６０質量％以下含む。【選択図】図４
2020195736.tif 000002
【特許請求の範囲】
【請求項１】
挿入部の先端部に、先端硬質部と先端カバーとを有しており、
前記先端カバーは第１の接着層によって前記先端硬質部に接着されており、
前記第１の接着層は、第１のフィラーである炭酸カルシウム粒子を１質量％以上１０質量％以下含み、第２のフィラーである酸化シリコン粒子およびアルミナ粒子の少なくともいずれかを１０質量％以上６０質量％以下含むことを特徴とする内視鏡。
【請求項２】
前記先端硬質部に、第２の接着層が配設されており、前記第１の接着層は前記第２の接着層の上に配設されており、
前記第２の接着層は、前記第１のフィラーを１０質量％以上６０質量％以下含むことを特徴とする請求項１に記載の内視鏡。
【請求項３】
前記第２の接着層は、前記第２のフィラーを、１質量％以上１０質量％以下含むことを特徴とする請求項２に記載の内視鏡。
【請求項４】
挿入部の先端部に、先端硬質部と先端カバーとを有しており、
前記先端カバーは第１の接着層によって前記先端硬質部に接着されており、
前記第１の接着層は、第２のフィラーである酸化シリコン粒子およびアルミナ粒子の少なくともいずれかを１０質量％以上６０質量％以下含み、
前記先端硬質部に、第２の接着層が配設されており、前記第１の接着層は前記第２の接着層の上に配設されており、
前記第２の接着層は、第１のフィラーである炭酸カルシウム粒子を１０質量％以上６０質量％以下含むことを特徴とする内視鏡。
【請求項５】
前記第１の接着層は、前記第１のフィラーを、１質量％以上１０質量％以下含むことを特徴とする請求項４に記載の内視鏡。
【請求項６】
挿入部の先端部に、先端硬質部と先端カバーとを有している内視鏡の製造方法であって、
前記先端硬質部に、第２の接着層が配設されており、前記先端カバーは、前記第２の接着層の上に配設されている第１の接着層によって前記先端硬質部に接着されており、
前記第１の接着層は、第２のフィラーである酸化シリコン粒子およびアルミナ粒子の少なくともいずれかを１０質量％以上６０質量％以下含み、前記第２の接着層は、第１のフィラーである炭酸カルシウム粒子を１０質量％以上６０質量％以下含んでおり、
前記先端硬質部に、前記第２の接着層を配設する工程と、
前記第２の接着層を硬化処理する工程と、
前記第２の接着層のうえに、前記第１の接着層を配設する工程と、
前記先端硬質部に前記先端カバーを配設し、圧着する工程と、
前記第１の接着層を硬化処理する工程と、を具備することを特徴とする内視鏡の製造方法。
【請求項７】
前記第２の接着層は、前記第１のフィラーを、１質量％以上１０質量％以下含むことを特徴とする請求項６に記載の内視鏡の製造方法。
【請求項８】
前記第１の接着層は、前記第２のフィラーを、１質量％以上１０質量％以下含むことを特徴とする請求項６または請求項７に記載の内視鏡の製造方法。
【請求項９】
挿入部の先端部に、先端硬質部と先端カバーとを有しており、
前記先端カバーは第１の接着層によって前記先端硬質部に接着されており、
前記先端硬質部に、第２の接着層が配設されており、前記第１の接着層は前記第２の接着層の上に配設されていることを特徴とする内視鏡。
【請求項１０】
挿入部の先端部に、先端硬質部と先端カバーとを有しており、
前記先端カバーの内面には、第２の接着層が配設されており、
前記第２の接着層は、第１のフィラーである炭酸カルシウム粒子を１０質量％以上６０質量％以下含み、
前記先端硬質部に、第１の接着層が配設されており、前記第１の接着層は前記第２の接着層の下に配設されており、
前記第１の接着層は、第２のフィラーである酸化シリコン粒子およびアルミナ粒子の少なくともいずれかを１０質量％以上６０質量％以下含むことを特徴とする内視鏡。
【発明の詳細な説明】
【技術分野】
【０００１】
本発明は、挿入部の先端部に配設されている先端構構部に、先端カバーが接着されている内視鏡、および、挿入部の先端部に配設されている先端硬質部に、先端カバーが接着されている内視鏡の製造方法に関する。
【背景技術】
【０００２】
外部から観察できない被検体の体内に細長い挿入部を挿入することによって、体内を観察したり、チャンネルの開口から突出させた処置具を用いて治療をしたりする内視鏡が広く用いられている。挿入部の先端部に配設されている先端硬質部の貫通孔には、撮像ユニットが挿入されている。先端硬質部には、先端カバーが接着剤を用いて接着されている。
【０００３】
内視鏡の修理またはリサイクルを行うときには、先端カバーを先端硬質部から剥離する必要がある。しかし、接着剤によって接着された先端カバーを剥離することは容易ではない。
【０００４】
特許第６３２６５６１号公報には、先端部に照明部を接着するときに、予め離型材を塗布しておくことで、メンテナンス時に照明部を容易に取り外して交換できる内視鏡が開示されている。
【０００５】
特開２０１９−４１８７４号公報には、充填剤として、シリカまたは炭酸カルシウムを含むエポキシ樹脂を用いた内視鏡用接着剤が開示されている。
【先行技術文献】
【特許文献】
【０００６】
【特許文献１】特許第６３２６５６１号公報
【特許文献２】特開２０１９−４１８７４号公報
【発明の概要】
【発明が解決しようとする課題】
【０００７】
本発明の実施形態は、先端カバーを先端硬質部から容易に剥離できる信頼性の高い内視鏡、および、先端カバーを先端硬質部から容易に剥離できる信頼性の高い内視鏡の製造方法を提供することを目的とする。
【課題を解決するための手段】
【０００８】
実施形態の内視鏡は、挿入部の先端部に、先端硬質部と先端カバーとを有しており、前記先端カバーは第１の接着層によって前記先端硬質部に接着されており、前記第１の接着層は、第１のフィラーである炭酸カルシウム粒子を１質量％以上１０質量％以下含み、第２のフィラーである酸化シリコン粒子およびアルミナ粒子の少なくともいずれかを１０質量％以上６０質量％以下含む。
【０００９】
実施形態の内視鏡は、挿入部の先端部に、先端硬質部と先端カバーとを有しており、前記先端カバーは第１の接着層によって前記先端硬質部に接着されており、前記第１の接着層は、第２のフィラーである酸化シリコン粒子およびアルミナ粒子の少なくともいずれかを１０質量％以上６０質量％以下含み、前記先端硬質部に、第２の接着層が配設されており、前記第１の接着層は前記第２の接着層の上に配設されており、前記第２の接着層は、第１のフィラーである炭酸カルシウム粒子を１０質量％以上６０質量％以下含む。
【００１０】
実施形態の内視鏡の製造方法は、挿入部の先端部に、先端硬質部と先端カバーとを有している内視鏡の製造方法であって、前記先端硬質部に、第２の接着層が配設されており、前記先端カバーは、前記第２の接着層の上に配設されている第１の接着層によって前記先端硬質部に接着されており、前記第１の接着層は、第２のフィラーである酸化シリコン粒子およびアルミナ粒子の少なくともいずれかを１０質量％以上６０質量％以下含み、前記第２の接着層は、第１のフィラーである炭酸カルシウム粒子を１０質量％以上６０質量％以下含んでおり、前記先端硬質部に、前記第２の接着層を配設する工程と、前記第２の接着層を硬化処理する工程と、前記第２の接着層のうえに、前記第１の接着層を配設する工程と、前記先端硬質部に前記先端カバーを配設し、圧着する工程と、前記第１の接着層を硬化処理する工程と、を具備する。
【発明の効果】
【００１１】
本発明の実施形態によれば、先端カバーを先端硬質部から容易に剥離できる信頼性の高い内視鏡、および、先端カバーを先端硬質部から容易に剥離できる信頼性の高い内視鏡の製造方法を提供できる。
【図面の簡単な説明】
【００１２】
【図１】実施形態の内視鏡の外観図である。
【図２】第１実施形態の内視鏡の先端部の分解図である。
【図３】参考例の内視鏡の先端部の断面図である。
【図４】第２実施形態の内視鏡の先端部の分解図である。
【図５】第２実施形態の内視鏡の先端部の分解断面図である。
【図６】第２実施形態の内視鏡の先端部の断面図である。
【図７】第２実施形態の内視鏡の製造方法のフローチャートである。
【図８】第３実施形態の内視鏡の先端部の断面図である。
【発明を実施するための形態】
【００１３】
＜内視鏡の構成＞
図１に示すように、実施形態の内視鏡１は、先端部９Ａと細長い軟性部９Ｂとを含む挿入部９と、挿入部９に配設された操作部８と、操作部８から延出するユニバーサルコード７と、を含む。
【００１４】
なお、以下の説明において、各実施形態に基づく図面は、模式的なものであり、各部分の厚みと幅との関係、夫々の部分の厚みの比率などは現実のものとは異なる。図面の相互間においても互いの寸法の関係や比率が異なる部分が含まれている場合がある。また、一部の構成要素の図示、符号の付与は省略する場合がある。
【００１５】
先端部９Ａに配設された撮像ユニット１１から出力された撮像信号は、軟性部９Ｂ、操作部８およびユニバーサルコード７を挿通する信号ケーブル１６を経由することによってプロセッサ（不図示）に伝送される。
【００１６】
なお、内視鏡１は、軟性部９Ｂを有する軟性鏡であるが、実施形態の内視鏡は硬性鏡でもよい。また、内視鏡１の用途は、医療用でも、工業用でもよい。
【００１７】
挿入部９の先端部９Ａには、先端硬質部１０が配置されている。先端硬質部１０は、例えば、ス
テンレス鋼からなる略円筒状のハウジングである。
【００１８】
図２に示すように、内視鏡１の先端硬質部１０には複数の貫通孔Ｈ１１、Ｈ１２がある。挿入孔Ｈ１１には、撮像ユニット１１が挿入され固定されている。２つの挿入孔Ｈ１２には、それぞれ照明ユニット１２が挿入され固定されている。
【００１９】
＜第１実施形態＞
図２に示すように、本実施形態の内視鏡１の先端硬質部１０には、先端カバー２０が、樹脂を母材とする第１の接着層３０を用いて接着されている。以下、先端硬質部１０に対する先端カバー２０の方向を「上」といい、先端カバー２０に対する先端硬質部１０の方向を「下」ということがある。先端カバー２０は、ポリサルフォン樹脂からなるが、生体適合性、耐薬性および非導電性を有する樹脂であればよい。
【００２０】
先端カバー２０の先端面２０ＳＡからは、撮像ユニット１１と照明ユニット１２とが突出している。すなわち、先端カバー２０には、挿入孔Ｈ１１、Ｈ１２のそれぞれと連通している複数の開口がある。
【００２１】
第１の接着層３０は、例えば、熱硬化性樹脂であるエポキシ樹脂を母材とする第１の樹脂層である。硬化性樹脂は硬化時に収縮するため剥離するおそれがある。このため、第１の接着層３０は、硬化時の剥離を防止するために収縮しないフィラー（粒子）を含んでいる。
【００２２】
第１の接着層３０は、第１のフィラー３１である炭酸カルシウム粒子を１質量％以上１０質量％以下含み、第２のフィラー３２である酸化シリコン粒子およびアルミナ粒子の少なくともいずれかを含む。第１の接着層３０の第２のフィラー３２の含有量は、酸化シリコン粒子とアルミナ粒子との合計が、１０質量％以上６０質量％以下である。
【００２３】
第１のフィラー３１は、無定形であり、第２のフィラー３２は、球形である。しかし、フィラーの形状は、適宜、選択される。例えば、第１のフィラー３１が、偏平であり、第２のフィラー３２が無定形でもよい。第１のフィラー３１および第２のフィラー３２の粒径は１μｍ〜５０μｍ程度である。無定形粒子の粒径は長軸長さと短軸長さとの平均値である。
【００２４】
収縮しない第２のフィラー３２を１０質量％以上６０質量％以下含む第１の接着層３０は、硬化収縮率が小さいため、硬化時に剥離することはない。しかし、第２のフィラー３２だけを含む第１の接着層３０では、先端カバー２０を先端硬質部１０から剥離することは容易ではない。
【００２５】
第１のフィラー３１は、第２のフィラー３２よりも機械的強度が弱い。すなわち、大きな力が印加されると、第１のフィラー３１は破壊されて小さな粒子の集合体となる。特に、炭酸カルシウム粒子（カルサイト）は、劈開面にそって簡単に割れる。
【００２６】
内視鏡１では、修理等の際に、先端カバー２０に外部から所定強度以上の衝撃力を加えると、第１の接着層３０の第１のフィラー３１が破壊されるため、そこを起点として先端カバー２０を先端硬質部１０から剥離することが容易である。なお、第１の接着層３０に効率的に衝撃力を印加するためには、樹脂からなる先端カバー２０が硬くなる室温未満、例えば、１０℃未満で行うことが好ましい。
【００２７】
ここで、図３に示す参考例の内視鏡１０１のように、第１のフィラー３１である炭酸カルシウム粒子を１０質量％超含む第１の接着層３０は、接着時、すなわち、樹脂が未硬化の状態において、先端カバー２０と先端硬質部１０との間で押圧されると、炭酸カルシウム粒子が劈開し、劈開面が先端面２０ＳＡに平行に配列しやすいことが判明した。すると、第１の接着層３０は機械的強度が小さくなり、内視鏡１の使用中に、先端カバー２０と先端硬質部１０との間に隙間が発生したりして信頼性が低下するおそれがある。
【００２８】
しかし、第１の接着層３０の第１のフィラー３１の含有量が、１０質量％以下、好ましくは、５質量％以下、より好ましくは３質量％以下であれば、粘度の調整が容易であり、さらに、劈開するおそれのある粒子が少ないために、内視鏡１の信頼性が低下することはない。なお、第１の接着層３０の第２のフィラー３２の含有量が、１０質量％以上６０質量％以下、好ましくは、２０質量％以上５５質量％以下、より好ましくは３０質量％以上５０質量％以下であれば、第１の接着層３０の硬化収縮率および粘度の調整が容易である。
【００２９】
なお、第１の接着層３０の厚さは、１０μｍ以上１００μｍ以下であることが好ましく、２０μｍ以上５０μｍ以下であることが特に好ましい。第１の接着層３０の厚さが前記範囲内であれば、先端カバー２０の剥離が容易である。
【００３０】
内視鏡１は、第１のフィラー３１を１質量％以上１０質量％以下含み、第２のフィラー３２を１０質量％以上６０質量％以下含む熱硬化性樹脂である第１の接着層３０によって先端カバー２０が先端硬質部１０に接着されている。このため、内視鏡１は、使用時には信頼性が高く、修理等の際には、先端カバー２０の剥離が容易である。
【００３１】
＜第２実施形態＞
本実施形態の内視鏡１Ａは、内視鏡１と類似し同じ効果を有する。このため、内視鏡１と同じ機能の構成要素には同じ符号を付し説明は省略する。
【００３２】
図４〜図６に示すように内視鏡１Ａの先端カバー２０は、第１の接着層３０および第２の接着層４０からなる２層接着層によって、先端硬質部１０に接着されている。すなわち、先端硬質部１０には、第２の接着層４０が配設されている。先端カバー２０は、第２の接着層４０のうえに配設された第１の接着層３０によって、先端硬質部１０に接着されている。第１の接着層３０および第２の接着層４０の母材は、例えば、熱硬化性エポキシ樹脂である。
【００３３】
図６には図示していないが、内視鏡１Ａでは、第１の接着層（第１の樹脂層）３０は、内視鏡１と同じように、第１のフィラー３１である炭酸カルシウム粒子を１質量％以上１０質量％以下含み、第２のフィラー３２である酸化シリコン粒子およびアルミナ粒子の少なくともいずれかを１０質量％以上６０質量％以下含む。第２の接着層（第２の樹脂層）４０は、第１のフィラー３１を１０質量％以上６０質量％以下含み、第２のフィラー３２を含んでいない。
【００３４】
すでに説明したように、炭酸カルシウム粒子は応力を受けると、劈開し、劈開面が先端面２０ＳＡに平行に配列しやすい。しかし、後述するように、内視鏡１Ａでは、第２の接着層４０は応力を受けることなく、先端硬質部１０に配設され、硬化処理される。第１の接着層３０による接着時には、第２の接着層４０は圧縮応力を受けるが、炭酸カルシウム粒子は硬化された第２の接着層４０の中にあるため、劈開することがない。
【００３５】
内視鏡１Ａでは、修理等の際に、先端カバー２０に外部から所定強度以上の衝撃力を加えると、第２の接着層４０の第１のフィラー３１が破壊される。先端カバー２０を先端硬質部１０から剥離するときには、破壊された第１のフィラー３１を起点として、第２の接着層４０が破断する。すなわち、第１の接着層３０と一部の第２の接着層４０とが付着した先端カバー２０と、一部の第２の接着層４０が付着した先端硬質部１０と、に分離される。このため、先端カバー２０を、先端硬質部１０から剥離することが容易である。
【００３６】
内視鏡１Ａは、内視鏡１よりも先端カバー２０の剥離が容易である。
【００３７】
なお、第１の接着層３０および第２の接着層４０のそれぞれの厚さは、例えば、１０μｍ以上１００μｍ以下であることが好ましく、２０μｍ以上５０μｍ以下であることが特に好ましい。第１の接着層３０および第２の接着層４０の厚さが前記範囲内であれば、先端カバー２０の剥離が容易である。
【００３８】
図７に示すフローチャートにそって、内視鏡１Ａの製造方法を簡単に説明する。
【００３９】
＜ステップＳ１０＞第２の樹脂層配設工程
先端硬質部１０に未硬化の第２の接着層（第２の樹脂層）４０がコーティングされる。
【００４０】
第２の接着層４０の第１のフィラー３１の含有量が、１０質量％以上６０質量％以下、好ましくは、２０質量％以上５５質量％以下、より好ましくは、３０質量％以上５０質量％以下、であれば、第２の接着層４０の硬化収縮率および粘度の調整が容易であり、かつ、先端カバー２０の剥離が容易である。
【００４１】
＜ステップＳ２０＞第２の樹脂層硬化工程
第２の接着層４０が熱硬化処理され、固体となる。第２の接着層４０の第１のフィラー３１は応力を受けていないので劈開することなくランダムに分散した状態で固定される。
【００４２】
＜ステップＳ３０＞第１の樹脂層配設工程
硬化された第２の接着層４０のうえに、未硬化の第１の接着層（第１の樹脂層）３０がコーティングされる。すなわち、先端カバー２０と先端硬質部１０とを接着する第１の接着層３０は、接着下地層である第２の接着層４０が配設されている先端硬質部１０と先端カバー２０との間に配設される。
【００４３】
＜ステップＳ４０＞圧着工程
先端カバー２０が、先端硬質部１０に配設され、間に隙間が生じないように、先端カバー２０の先端面２０ＳＡの裏面は先端硬質部１０に押圧される、第１の接着層３０は第１のフィラー３１を少量しか含んでいないので、第１のフィラー３１が劈開しても信頼性が劣化することはない。また、第２の接着層４０の第１のフィラー３１は固体化した第２の接着層４０の中に分散しているため、第１の接着層３０の接着時の応力によって劈開し配向することはない。
【００４４】
＜ステップＳ５０＞第１の樹脂層硬化工程
第１の接着層３０が熱硬化処理され、固体となる。
【００４５】
内視鏡１Ａは、使用時には内視鏡１と同じように信頼性が高く、修理等の際には、内視鏡１よりも先端カバー２０の剥離が容易である。
【００４６】
＜第２実施形態の変形例＞
第２実施形態の変形例１〜３の内視鏡１Ｂ、１Ｃ、１Ｄは、内視鏡１Ａと類似し同じ効果を有する。このため、内視鏡１Ａと同じ機能の構成要素には同じ符号を付し説明は省略する。
【００４７】
内視鏡１Ａでは、第２の接着層４０は、第２のフィラー３２を含んでいなかった。
【００４８】
これに対して、変形例１の内視鏡１Ｂの第２の接着層４０は、第２のフィラー３２を１質量％以上１０質量％以下含んでいる。
【００４９】
第２の接着層４０は、第２のフィラー３２の含有量が、１０質量％以下、好ましくは、５質量％以下、より好ましくは３質量％以下であれば、粘度の調整が容易である。
【００５０】
変形例２の内視鏡１Ｃの第１の接着層３０は、第１のフィラー３１を含んでおらず、第２のフィラー３２を１０質量％以上６０質量％以下含んでいる。第２の接着層４０は、第１のフィラー３１を１０質量％以上６０質量％以下含み、第２のフィラー３２を含んでない。
【００５１】
変形例３の内視鏡１Ｄの第１の接着層３０は、第１のフィラー３１を含んでおらず、第２のフィラー３２を１０質量％以上６０質量％以下含んでいる。第２の接着層４０は、第１のフィラー３１を１０質量％以上６０質量％以下含み、第２のフィラー３２を１質量％以上１０質量％以下含んでいる。
【００５２】
すなわち、第１の接着層３０は、第１のフィラー３１を、含んでいなくともよいし、１質量％以上１０質量％以下含んでいてもよい。第２の接着層４０は、第２のフィラー３２を含んでいなくともよいし、１質量％以上１０質量％以下含んでいてもよい。
【００５３】
第１の接着層３０および第２の接着層４０が、第１のフィラー３１および第２のフィラー３２を含んでいると、未硬化の第１の接着層３０および未硬化の第２の接着層４０の粘度調整が容易であるため、内視鏡の製造がより容易である。
【００５４】
なお、第１の接着層３０および第２の接着層４０に加えて、第３の接着層を有していてもよい。例えば、第２の接着層４０が、第１のフィラー３１を３０質量％含み第２のフィラー３２を１質量％含んでいる第一層と、第１のフィラー３１を２０質量％含み第２のフィラー３２を１質量％含んでいる第２層とによって構成されていてもよい。
【００５５】
＜第３実施形態＞
第３実施形態の内視鏡１Ｅは、内視鏡１Ａと類似し同じ効果を有する。このため、内視鏡１Ａと同じ機能の構成要素には同じ符号を付し説明は省略する。
【００５６】
図８に示すように、内視鏡１Ｅの先端カバー２０は、内視鏡１Ａと同じように、第１の接着層３０および第２の接着層４０からなる２層接着層によって、先端硬質部１０に接着されている。しかし、内視鏡１Ｅは、接着層の積層順序が内視鏡１Ａと逆である。
【００５７】
すなわち、先端カバー２０の内面に第２の接着層４０が配設されている。第２の接着層４０が配設されている先端カバー２０は、第１の接着層３０によって、先端硬質部１０に接着されている。言い方を変えれば、先端硬質部１０に、第１の接着層３０が配設されており、第１の接着層３０は第２の接着層４０の下に配設されている。
【００５８】
すなわち、先端カバー２０と先端硬質部１０とを接着する第１の接着層３０は、接着下地層である第２の接着層４０が配設されている先端カバー２０と先端硬質部１０との間に配設されている。
【００５９】
第１の接着層（第１の樹脂層）３０は、第１のフィラー３１である炭酸カルシウム粒子を１質量％以上１０質量％以下含み、第２のフィラー３２である酸化シリコン粒子およびアルミナ粒子の少なくともいずれかを１０質量％以上６０質量％以下含む。第２の接着層（第２の樹脂層）４０は、第１のフィラー３１を１０質量％以上６０質量％以下含み、第２のフィラー３２を含んでいない。
【００６０】
内視鏡１Ｅの製造方法では、先端カバー２０の裏面（内面）に未硬化の第２の接着層４０がコーティングされ、熱硬化処理される。第２の接着層４０の第１のフィラー３１は応力を受けていないので劈開することなくランダムに分散した状態で固定される。そして、先端硬質部１０に未硬化の第１の接着層３０がコーティングされる。先端カバー２０が先端硬質部１０に押圧されてから、第１の接着層３０熱硬化処理される。なお、未硬化の第１の接着層３０は、第２の接着層４０の上にコーティングされてもよい。
【００６１】
内視鏡１Ｅは、挿入部の先端部に、先端硬質部と先端カバーとを有しており、先端カバーは第２の接着層によって前記先端硬質部に接着されており、第２の接着層は、第１のフィラーである炭酸カルシウム粒子を１０質量％以上６０質量％以下含み、先端硬質部に、第１の接着層が配設されており、第２の接着層は第１の接着層の上に配設されており、第１の接着層は、第２のフィラーである酸化シリコン粒子およびアルミナ粒子の少なくともいずれかを１０質量％以上６０質量％以下含む。
【００６２】
内視鏡１Ｅでは、修理等の際に、先端カバー２０に外部から所定強度以上の衝撃力を加えると、第２の接着層４０の第１のフィラー３１が破壊される。一部の第２の接着層４０とが付着した先端カバー２０と、一部の第２の接着層４０と第１の接着層３０とが付着した先端硬質部１０と、に分離される。このため、先端カバー２０を、先端硬質部１０から剥離することが容易である。
【００６３】
内視鏡１Ｅは、内視鏡１Ａと同じように、使用時には信頼性が高く、修理等の際には、先端カバー２０の剥離が容易である。
【００６４】
なお、内視鏡１Ｅにおいても、内視鏡１Ａの変形例の内視鏡１Ｂ、１Ｃ、１Ｄと同じ構成の第１の接着層または／および第２の接着層を具備していれば、内視鏡１Ｂ、１Ｃ、１Ｄと同じ効果を有することは言うまでも無い。
【００６５】
本発明は上述した実施形態および変形例等に限定されるものではなく、本発明の要旨を変えない範囲において、種々の変更、組み合わせ、および改変ができる。
【符号の説明】
【００６６】
１、１Ａ〜１Ｅ…内視鏡
１０…先端硬質部
１１…撮像ユニット
１２…照明ユニット
１６…信号ケーブル
２０…先端カバー
２０ＳＡ…先端面
３０…第１の接着層（第１の樹脂層）
３１…第１のフィラー
３２…第２のフィラー
４０…第２の接着層（第２の樹脂層）
【図１】
2020195736.tif 000003
【図２】
2020195736.tif 000004
【図３】
2020195736.tif 000005
【図４】
2020195736.tif 000006
【図５】
2020195736.tif 000007
【図６】
2020195736.tif 000008
【図７】
2020195736.tif 000009
【図８】
2020195736.tif 000010